(57)【特許請求の範囲】
【請求項１】
複数個のテーパ状の缶詰を各缶詰の缶蓋が他の缶詰の底面に接触するように重ねた状態で、これら各缶詰に付せられたバーコードの読み取りを妨げるバーコード遮蔽印刷を備え且つこれら全缶詰についての単一のバーコードを表示した透明な収縮フィルムにより、これらの缶詰を収縮包装する方法において、
前記収縮フィルムはシート状フィルムを中央部にて折り返し、相対応する一対の側縁と一対の下縁とをそれぞれ内面を相互に接触させた状態で連続的に溶着することにより上端のみを開口した有底袋状体に形成してなり、該収縮フィルムは有底袋状体が上下方向及び左右方向に収縮するようにした２軸延伸フィルムとし、
該有底袋状体を上端の開口部が上になるように立てると共に該有底袋状体内に複数個のテーパ状の缶詰を各缶詰の缶蓋と上側又は下側の缶詰の底面とが接触するように上下方向に積み重ねた状態で該有底袋状体を缶詰と共に加熱装置内を通過させるようにしたことを特徴とする、テーパ状の缶詰を積み重ねた状態で収縮包装する方法。
【請求項２】
前記有底袋状体の底部に丸みを持たせたことを特徴とする、請求項１のテーパ状の缶詰を積み重ねた状態で収縮包装する方法。
【発明の詳細な説明】
【０００１】
【発明の属する技術分野】
本発明は、テーパ状の缶詰を積み重ねた状態で収縮包装する方法に関するものであり、更に詳しくは、複数個のテーパ状の缶詰を各缶詰の缶蓋と上側又は下側の缶詰の底面とが接触するように上下方向に積み重ねた状態で、これら各缶詰に付せられたバーコードの読み取りを妨げるバーコード遮蔽印刷を備え且つこれら全缶詰についての単一のバーコードを表示した透明な収縮フィルムにより、これらの缶詰を収縮包装する方法に係るものである。
【０００２】
特許請求の範囲を含む本明細書において「テーパ状の缶詰」とは、略截頭円錐形又は略截頭角錐形をなす缶に食品等の内容物を詰めてなるものをいうものとする。
【０００３】
【従来の技術】
テーパ状の缶詰を積み重ねた状態で収縮包装する際には、円柱状の缶詰を積み重ねた状態で収縮包装する場合と同様な方法が用いられている（図１０〜図１３参照）。即ち、包装内の各缶詰１に付せられたバーコードの読み取りを妨げるバーコード遮蔽印刷３を備え且つ包装内の全缶詰１、１・・・についての単一のバーコード５を表示した長方形シート状の透明な塩化ビニル製収縮フィルム７における相対する両縁７ａ、７ａ’を一方の縁７ａの内面が他方の縁７ａ’の外面に接触するように重ねた状態で接着剤を用いて接着することにより該収縮フィルム７を円筒状に形成して両端９ａ、９ａ’を開口した円筒状フィルム９となし（図１１参照）、該円筒状フィルム９をその両端９ａ、９ａ’が水平方向を向くように水平に位置させた状態（寝かせた状態）で該円筒状フィルム９内に複数個の缶詰１、１・・・をそれぞれ缶蓋１ａと底面１ｂが垂直になり且つ各缶詰１の缶蓋１ａが他の缶詰１の底面１ｂに接触するように横向き状態で配設し（図１２参照）、該円筒状フィルム９を缶詰１、１・・・と共に加熱装置１１内を通過させることにより（図１０参照）該円筒状フィルム９を収縮させるようにしている。図１０における符号１３に示すものは送りローラーである。なお、円筒状フィルム９はその両端９ａ、９ａ’を開口しているため、該円筒状フィルム９を上下方向に立てたときには該円筒状フィルム９は底部を有しないことになる。従って、該円筒状フィルム９を上下方向に立て、該円筒状フィルム９内に缶詰１、１・・・を上下方向に積み重ねて配設した状態で、該円筒状フィルム９を加熱し収縮包装することはできない。
【０００４】
因みに、透明な収縮フィルム７に包装内の各缶詰１に付せられたバーコードの読み取りを妨げるバーコード遮蔽印刷３を備えさせると共に包装内の全缶詰１、１・・・についての単一のバーコード５を表示させるのは、缶詰１、１・・・を収縮包装状態で販売する場合に、当該収縮包装内の各缶詰１に付せられたバーコードをそれぞれスキャナに読み取らせることは極めて面倒であるため、これらの缶詰１、１・・・に付せられたバーコードを遮蔽してその読み取りを妨げると共にこれに代えて当該収縮包装内の全缶詰１、１・・・についての単一のバーコード５を読み取らせるようにしたものである。
【０００５】
【発明が解決しようとする課題】
しかるに、上記従来の方法においては次のような問題がある。
【０００６】
（イ）上記従来の方法は、両端９ａ、９ａ’を開口した円筒状フィルム９を水平に位置させ、該円筒状フィルム９内にテーパ状の缶詰１、１・・・を上述の如く横向きに配設した状態で該円筒状フィルム９を缶詰１、１・・・と共に加熱装置１１内を通過させるようにしているため、円筒状フィルム９が加熱されて収縮する前に缶詰１、１・・・が円筒状フィルム９内で崩れて傾斜した状態になるおそれがある（図１２参照）。缶詰１、１・・・が円筒状フィルム９内で崩れて傾斜した状態になったまま円筒状フィルム９が加熱装置１１により加熱されて収縮すると、缶詰１、１・・・は崩れて傾斜した状態で円筒状フィルム９内に固定されることになる（図１３参照）。このような状態で包装された缶詰は、外観上不都合であって店頭での陳列に適さないだけでなく、運搬、保管等の面でも不便である。
【０００７】
（ロ）上記従来の方法において用いられる円筒状フィルム９は円周方向（図１１の矢印参照）にのみ収縮する横１軸延伸フィルムであるため、該円筒状フィルム９を用いてテーパ状の缶詰を積み重ねた状態で収縮包装した場合には、該円筒状フィルム９は側面が各缶詰１のテーパ状側面１ｃに対応して内側にくびれることになる。円筒状フィルム９の側面における内側へのくびれ部を図１３において符号９ｃで示す。円筒状フィルム９の側面にこのようなくびれ部９ｃが形成されたときは、円筒状フィルム９の側面に付せられた収縮包装内の全缶詰１、１・・・についての単一のバーコード５はスキャナにより読み取られないおそれもある。円筒状フィルム９の側面におけるこのようなくびれは、特に円筒状フィルム９内で缶詰１、１・・・が崩れて傾斜した状態で包装されているときに著しく現れる。
【０００８】
（ハ）上記従来の方法において用いられる円筒状フィルム９は収縮フィルム７における相対する両縁７ａ、７ａ’を一方の縁７ａの内面が他方の縁７ａ’の外面に接触するように重ねた状態で接着剤を用いて接着することにより収縮フィルム７を円筒状に形成してなるものであるため、円筒状フィルム９側面のシーム（継ぎ目）１０は強固に固着されており、包装を該シーム１０にて手で開封することは困難である。
【０００９】
本発明は上記従来の方法における上述の如き問題を解決しようとしてなされたものである。
【００１０】
【課題を解決するための手段】
上記課題を解決するために、本発明は下記の如きテーパ状の缶詰を積み重ねた状態で収縮包装する方法を提供するものである。
【００１１】
（１）複数個のテーパ状の缶詰を各缶詰の缶蓋が他の缶詰の底面に接触するように重ねた状態で、これら各缶詰に付せられたバーコードの読み取りを妨げるバーコード遮蔽印刷を備え且つこれら全缶詰についての単一のバーコードを表示した透明な収縮フィルムにより、これらの缶詰を収縮包装する方法において、
前記収縮フィルムはシート状フィルムを中央部にて折り返し、相対応する一対の側縁と一対の下縁とをそれぞれ内面を相互に接触させた状態で連続的に溶着することにより上端のみを開口した有底袋状体に形成してなり、該収縮フィルムは有底袋状体が上下方向及び左右方向に収縮するようにした２軸延伸フィルムとし、
該有底袋状体を上端の開口部が上になるように立てると共に該有底袋状体内に複数個のテーパ状の缶詰を各缶詰の缶蓋と上側又は下側の缶詰の底面とが接触するように上下方向に積み重ねた状態で該有底袋状体を缶詰と共に加熱装置内を通過させるようにしたことを特徴とする、テーパ状の缶詰を積み重ねた状態で収縮包装する方法（請求項１）。
【００１２】
（２）前記有底袋状体の底部に丸みを持たせることが望ましい（請求項２）。
【００１３】
【作用】
［請求項１の方法］
請求項１の方法においては、収縮フィルムは有底袋状体をなすため、該有底袋状体内に複数個のテーパ状の缶詰を各缶詰の缶蓋と上側又は下側の缶詰の底面とが接触するように上下方向に積み重ねた状態で配設し、該有底袋状体を缶詰と共に加熱装置内を通過させることができる。テーパ状の缶詰といえどもこのように上下方向に積み重ねたときには安定するため、積み重ねられた缶詰が加熱装置内等で崩れるおそれはない。換言すれば、テーパ状の缶詰は上下方向に整列した状態のまま収縮包装される。
【００１４】
収縮フィルムはシート状フィルムを中央部にて折り返し、相対応する一対の側縁と一対の下縁とをそれぞれ内面を相互に接触させた状態で連続的に溶着することにより有底袋状体に形成されているため、有底袋状体の側縁から下縁に至るシームは突条を形成するものであり、収縮包装後においては該有底袋状体を外方に拡張させるように手で引けば該シームは容易に剥がれる。即ち、収縮包装の開封は容易である。
【００１５】
収縮フィルムは有底袋状体が上下方向及び左右方向に収縮するようにした２軸延伸フィルムである。換言すれば、収縮時に有底袋状体は左右方向のみならず上下方向にも強く張るため、有底袋状体の側面が各缶詰のテーパ状側面に対応して内側にくびれることはない。従って、有底袋状体の側面に付せられたバーコードは支障なく読み取られる。
【００１６】
［請求項２の方法］
請求項２の方法においては、有底袋状体の底部に丸みを持たせているため、収縮時に有底袋状体の底部は最下の缶詰の下面に好ましくフィットする。因みに、有底袋状体の底部に丸みが形成されていないときには、収縮時に有底袋状体の底部が左右方向に角張ることになる（図１の符号４３参照）。
【００１７】
【発明の実施の形態】
次に、本発明の実施の形態を添付図面（図１〜図９）に従って説明する。
本発明によるテーパ状の缶詰を積み重ねた状態で収縮包装する方法は、複数個のテーパ状の缶詰２１、２１・・・を各缶詰２１の缶蓋２１ａが他の缶詰２１の底面２１ｂに接触するように重ねた状態で、これら各缶詰２１に付せられたバーコード２３の読み取りを妨げるバーコード遮蔽印刷２５を備え且つこれら全缶詰２１、２１・・・についての単一のバーコード２７を表示した透明な収縮フィルム２９により、これらの缶詰を収縮包装するという点においては、上記従来の方法と同様である。
【００１８】
以下、本発明の方法が上記従来の方法と異なる点について説明する。
本発明において用いられる収縮フィルム２９は、図５、図６に示すように、シート状フィルムを中央部３１にて折り返し、相対応する一対の側縁３３、３３と一対の下縁３５、３５とをそれぞれ内面３３ａ、３３ａ（下縁３５の内面は図示せず。）を相互に接触させた状態で連続的に溶着することにより有底袋状体３７に形成してなるものである。即ち、側縁３３、３３と下縁３５、３５を焼き切り線３６にて連続的に焼き切ることにより相対応する一対の側縁３３、３３と一対の下縁３５、３５を相互に接触させた状態で連続的に溶着すると共に焼き切り線３６の外側縁部３６ａを廃棄する。図６、図９における符号３８は有底袋状体３７の側縁３３から下縁３５に至るシームである。有底袋状体３７は上端のみを開口したものである。符号３７ａは上端の開口部、符号３７ｂは閉じた底部である。
【００１９】
収縮フィルム２９は有底袋状体３７が上下方向（図５における矢印Ａ、Ａ’の方向）及び左右方向（図５における矢印Ｂ、Ｂ’の方向）に収縮するようにした２軸延伸フィルムとする。収縮フィルム２９は好ましくはポリオレフィンないしＰＥＴ（ポリエチレンテフタレート）により形成する。
【００２０】
有底袋状体３７を用いて複数個のテーパ状の缶詰２１、２１・・・を収縮包装する際には次のようになす。即ち、図４、図７、図８に示すように、有底袋状体３７を上端の開口部３７ａが上になるように立てると共に該有底袋状体３７内に複数個のテーパ状の缶詰２１、２１・・・を各缶詰２１の缶蓋２１ａと上側又は下側の缶詰２１の底面２１ｂとが接触するように上下方向に積み重ねた状態で該有底袋状体３７を缶詰２１、２１・・・と共に加熱装置３９内を通過させる。即ち、本発明におけるテーパ状の缶詰２１、２１・・・の積み重ね態様には、図７に示すように各缶詰２１の缶蓋２１ａが上になるように缶詰２１、２１・・・を積み重ねる場合の他、図８に示すように各缶詰２１の底面２１ｂａが上になるように缶詰２１、２１・・・を積み重ねる場合も含まれるものとする。図４における符号４１に示すものは送り装置である。
【００２１】
有底袋状体３７の底部３７ｂには図５〜図８に示すように下方への丸みを持たせることが望ましい。即ち、収縮フィルム２９の下縁３５、３５に丸みを持たせることにより有底袋状体３７の底部３７ｂに丸みを持たせるのである。
【００２２】
【発明の効果】
［請求項１の方法］
請求項１の方法においては、収縮フィルムは有底袋状体をなすため、該有底袋状体内に複数個のテーパ状の缶詰を上下方向に積み重ねた状態で配設し、該有底袋状体を缶詰と共に加熱装置内を通過させることができる。テーパ状の缶詰といえども上下方向に積み重ねたときには安定するため、積み重ねられた缶詰が加熱装置内等で崩れるおそれはない。換言すれば、テーパ状の缶詰は上下方向に整列した状態のまま収縮包装される。従って、収縮包装されたテーパ状の缶詰は見栄えが良く、店頭での陳列のみならず、運搬、保管等の面でも好都合である。
【００２３】
収縮フィルムはシート状フィルムを中央部にて折り返し、相対応する一対の側縁と一対の下縁とをそれぞれ内面を相互に接触させた状態で連続的に溶着することにより有底袋状体に形成されているため、有底袋状体の側縁から下縁に至るシームは突条を形成するものであり、収縮包装後においては該有底袋状体を外方に拡張させるように手で引けば該シームは容易に剥がれる。即ち、収縮包装の開封は容易である。
【００２４】
収縮フィルムは有底袋状体が上下方向及び左右方向に収縮するようにした２軸延伸フィルムである。換言すれば、収縮時に有底袋状体は左右方向のみならず上下方向にも強く張るため、有底袋状体の側面が各缶詰のテーパ状側面に対応して内側にくびれることはない。従って、有底袋状体の側面に付せられたバーコードは支障なく読み取られる。
【００２５】
［請求項２の方法］
請求項２の方法においては、有底袋状体の底部に丸みを持たせているため、収縮時に有底袋状体の底部は最下の缶詰の下面に好ましくフィットする。
【図面の簡単な説明】
【図１】本発明の方法により複数個のテーパ状の缶詰を収縮包装した状態を示す斜視図である。
【図２】テーパ状の缶詰を示す斜視図である。
【図３】テーパ状の缶詰を示す正面図である。
【図４】本発明の方法を概略的に示す説明図である。
【図５】有底袋状体を示す斜視図である。
【図６】有底袋状体の側面図である。
【図７】有底袋状体内に複数個のテーパ状の缶詰を積み重ねた状態の一例を示す断面図である。
【図８】有底袋状体内に複数個のテーパ状の缶詰を積み重ねた状態の別の一例を示す断面図である。
【図９】本発明の方法により複数個のテーパ状の缶詰を収縮包装した状態を示す正面図である。
【図１０】従来の方法を概略的に示す説明図である。
【図１１】従来の方法において用いられる円筒状フィルムを示す斜視図である。
【図１２】同上円筒状フィルム内に複数個のテーパ状の缶詰を配設した状態を示す断面図である。
【図１３】従来の方法により複数個のテーパ状の缶詰を収縮包装した状態を示す断面図である。
【符号の説明】
１  缶詰
１ａ  缶蓋
１ｂ  底面
１ｃ  テーパ状側面
３  バーコード遮蔽印刷
５  バーコード
７  収縮フィルム
７ａ  縁
７ａ’  縁
９  円筒状フィルム
９ａ  端
９ａ’  端
１０  シーム
１１  加熱装置
１３  送りローラー
２１  缶詰
２１ａ  缶蓋
２１ｂ  底面
２３  バーコード
２５  バーコード遮蔽印刷
２７  バーコード
２９  収縮フィルム
３１  中央部
３３  側縁
３３ａ  内面
３５  下縁
３６  焼き切り線
３６ａ  外側縁部
３７  有底袋状体
３７ａ  開口部
３７ｂ  底部
３８  シーム
３９  加熱装置
４１  送り装置
【図１】
0004055833.tif 000002
【図２】
0004055833.tif 000003
【図３】
0004055833.tif 000004
【図４】
0004055833.tif 000005
【図５】
0004055833.tif 000006
【図６】
0004055833.tif 000007
【図７】
0004055833.tif 000008
【図８】
0004055833.tif 000009
【図９】
0004055833.tif 000010
【図１０】
0004055833.tif 000011
【図１１】
0004055833.tif 000012
【図１２】
0004055833.tif 000013
【図１３】
0004055833.tif 000014